(57)【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、軸筒の後端孔から後方にノック体を突出させ、ペン先没入状態からノック体を前方に押圧することによりペン先を軸筒の前端孔から突出状態にする出没機構を備え、前記軸筒が、前端孔を備えた前軸と、該前軸の後端部に着脱自在に連結され且つ後端孔を備えた後軸とからなり、前記後軸の全体を弾性材料により構成し、前記ノック体が、前記後軸の後端部内面に一体に形成された段部に係止し、ペン先没入状態が維持されるとともに、前記弾性材料により構成した部分によって、前記熱変色性インキの筆跡を摩擦しその際に生じる摩擦熱で前記熱変色性インキの筆跡を熱変色可能な摩擦部を構成するとともに、前記後軸を前軸から分離することで、前記後軸が独立した摩擦具となり、前記後軸の前端部外面、前記後軸の後端部外面、及び前記後軸の側壁外面が前記摩擦部となることを特徴とする熱変色性筆記具。
【請求項２】
筆記体の内部に熱変色性インキを収容し、前記筆記体の前端に前記熱変色性インキが吐出可能なペン先を設け、前記筆記体を軸筒内に前後方向に移動可能に収容し、軸筒の後端孔から後方にノック体を突出させ、ペン先没入状態からノック体を前方に押圧することによりペン先を軸筒の前端孔から突出状態にする出没機構を備え、前記軸筒が、前端孔を備えた前軸と、該前軸の後端部に着脱自在に連結され且つ後端孔を備えた後軸とからなり、前記前軸の一部または全体を弾性材料により構成し、且つ、前記後軸の一部または全体を弾性材料により構成し前記弾性材料により構成した部分によって、前記熱変色性インキの筆跡を摩擦しその際に生じる摩擦熱で前記熱変色性インキの筆跡を熱変色可能な摩擦部を構成するとともに、前記前軸と後軸とを分離することで、前記前軸と後軸とが互いに独立した摩擦具となることを特徴とする熱変色性筆記具。
【請求項３】
前記後軸の外面にクリップが一体に突出形成される請求項１または２に記載の熱変色性筆記具。
【請求項４】
前記出没機構が、軸筒内面に設けたカム部と、前記カム部に係合し且つ筆記体の後端に当接する回転部材と、前記回転部材に係合するノック体と、軸筒内に収容され且つ筆記体または回転部材を後方に付勢する弾発体とからなり、ペン先没入状態からノック体を前方に押圧することによりペン先を軸筒の前端孔から突出状態にし、ペン先突出状態からノック体を前方に押圧することによりペン先を軸筒の前端孔から軸筒内に没入状態にしてなる請求項１乃至３の何れかに記載の熱変色性筆記具。
【請求項５】
前記軸筒の内面にカム部を一体に形成し、前記カム部を弾性材料により構成した請求項４記載の熱変色性筆記具。
【発明の詳細な説明】
【技術分野】
【０００１】
本発明は、熱変色性筆記具に関する。詳細には、ペン先が軸筒の前端より出没する出没式の熱変色性筆記具に関する。
【背景技術】
【０００２】
特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の外面に、前記熱変色性インキの筆跡を摩擦しその際に生じる摩擦熱で該筆跡を熱変色可能な摩擦部を設けた熱変色性筆記具が開示されている。
【０００３】
また、特許文献１の図１には、軸筒後端より後方に突出した操作部を前方に押圧することによってペン先没入状態からペン先突出状態にする出没機構を備え、軸筒の前端部に摩擦部を設ける構成が開示されている。しかし、この構成の熱変色性筆記具は、軸筒の前端外面に摩擦部を設ける際に手間を有し、製造コストを増加させ、安価に提供できないおそれがある。
【先行技術文献】
【特許文献】
【０００４】
【特許文献１】国際公開第２００８／１０５２２７号パンフレット
【発明の概要】
【発明が解決しようとする課題】
【０００５】
本発明は、前記従来の問題点を解決するものであって、摩擦部を有する後端ノック式の出没機構を備えた熱変色性筆記具において、製造コストを安価に抑えることができる熱変色性筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００６】
［１］本願の第１の発明は、筆記体５の内部に熱変色性インキを収容し、前記筆記体５の前端に前記熱変色性インキが吐出可能なペン先５１を設け、前記筆記体５を軸筒２内に前後方向に移動可能に収容し、軸筒２の後端孔４１から後方にノック体８を突出させ、ペン先没入状態からノック体８を前方に押圧することによりペン先５１を軸筒２の前端孔３１から突出状態にする出没機構を備え、前記軸筒２の一部または全体を弾性材料により構成し、前記弾性材料により構成した部分によって、前記熱変色性インキの筆跡を摩擦しその際に生じる摩擦熱で前記熱変色性インキの筆跡を熱変色可能な摩擦部１０を構成したことを要件とする。
【０００７】
前記第１の発明の熱変色性筆記具１は、軸筒２の一部または全体を弾性材料により構成し、前記弾性材料により構成した部分によって、前記熱変色性インキの筆跡を摩擦しその際に生じる摩擦熱で前記熱変色性インキの筆跡を熱変色可能な摩擦部１０を構成したことによって、摩擦部１０を設ける際の手間を省き、製造コストを安価に抑えることができる。
【０００８】
［２］本願の第２の発明は、前記第１の発明の熱変色性筆記具１において、前記軸筒２が、前端孔３１を備えた前軸３と、該前軸３の後端部に着脱自在に連結され且つ後端孔４１を備えた後軸４とからなり、前記前軸３の一部または全体を弾性材料により構成したことを要件とする。
【０００９】
前記第２の発明の熱変色性筆記具１は、摩擦部１０を設ける際の手間を省き、製造コストを安価に抑えることができる。また、前記第２の発明の熱変色性筆記具１は、前軸３を後軸４から分離して、前軸３を独立した摩擦具として使用できる。特に、前記第２の発明の熱変色性筆記具１は、前軸３の全体を弾性材料により構成することにより、前軸３を後軸４から分離した際、前軸３の外面のあらゆる部分（例えば、前軸３の前端部外面、前軸３の後端部外面、及び前軸３の側壁外面）を摩擦部１０とすることができる。
【００１０】
［３］本願の第３の発明は、前記第１の発明の熱変色性筆記具１において、前記軸筒２が、前端孔３１を備えた前軸３と、該前軸３の後端部に着脱自在に連結され且つ後端孔４１を備えた後軸４とからなり、前記後軸４の一部または全体を弾性材料により構成したことを要件とする。
【００１１】
前記第３の発明の熱変色性筆記具１は、摩擦部１０を設ける際の手間を省き、製造コストを安価に抑えることができる。また、前記第３の発明の熱変色性筆記具１は、後軸４を前軸３から分離して、摩擦具として使用できる。特に、前記第３の発明の熱変色性筆記具１は、後軸４の全体を弾性材料により構成することにより、後軸４を前軸３から分離した際、後軸４の外面のあらゆる部分（例えば、後軸４の前端部外面、後軸４の後端部外面、及び後軸４の側壁外面）を摩擦部１０とすることができる。
【００１２】
［４］本願の第４の発明は、前記第１の発明の熱変色性筆記具１において、前記軸筒２が、前端孔３１を備えた前軸３と、該前軸３の後端部に着脱自在に連結され且つ後端孔４１を備えた後軸４とからなり、前記前軸３の一部または全体を弾性材料により構成し、且つ、前記後軸４の一部または全体を弾性材料により構成したことを要件とする。
【００１３】
前記第４の発明の熱変色性筆記具１は、摩擦部１０を設ける際の手間を省き、製造コストを安価に抑えることができる。また、前記第４の発明の熱変色性筆記具１は、前軸３と後軸４とを分離し、互いに独立した摩擦具として使用できる。特に、前記第４の発明の熱変色性筆記具１は、前軸３の全体及び後軸４の全体を弾性材料により構成することにより、前軸３と後軸４とを分離した際、前軸３のあらゆる部分（例えば、前軸３の前端部外面、前軸３の後端部外面、及び前軸３の側壁外面）、及び後軸４の外面のあらゆる部分（例えば、後軸４の前端部外面、後軸４の後端部外面、及び後軸４の側壁外面）を摩擦部１０とすることができる。
【００１４】
［５］本願の第５の発明は、前記第１乃至４の何れかの発明の熱変色性筆記具１において、前記出没機構が、軸筒２内面に設けたカム部６と、前記カム部６に係合し且つ筆記体５の後端に当接する回転部材７と、前記回転部材７に係合するノック体８と、軸筒２内に収容され且つ筆記体５または回転部材７を後方に付勢する弾発体９とからなり、ペン先没入状態からノック体８を前方に押圧することによりペン先５１を軸筒２の前端孔３１から突出状態にし、ペン先突出状態からノック体８を前方に押圧することによりペン先５１を軸筒２の前端孔３１から軸筒２内に没入状態にしてなることを要件とする。
【００１５】
前記第５の発明の熱変色性筆記具１は、ペン先突出操作及びペン先没入操作のいずれもがノック体８を前方に押圧操作するダブルノック式の出没機構を有する熱変色性筆記具を得る。
【００１６】
［６］本願の第６の発明は、前記第５の発明の熱変色性筆記具１において、前記軸筒２の内面にカム部６を一体に形成し、前記カム部６を弾性材料により構成したことを要件とする。
【００１７】
前記第６の発明の熱変色性筆記具１は、前記軸筒２の内面（例えば、前軸３の内面または後軸４の内面）にカム部６を一体に形成し、前記カム部６を弾性材料により構成したことにより、ノック体８の前方への押圧操作時のカム作動音の発生が抑えられる。
【発明の効果】
【００１８】
本発明は、摩擦部を有する後端ノック式の出没機構を備えた熱変色性筆記具において、製造コストを安価に抑えることができる。
【図面の簡単な説明】
【００１９】
【図１】本発明の第１の実施の形態のペン先没入状態を示す縦断面図である。
【図２】図１のペン先突出状態を示す縦断面図である。
【図３】本発明の第２の実施の形態のペン先没入状態を示す縦断面図である。
【図４】図３のペン先突出状態を示す縦断面図である。
【図５】本発明の第３の実施の形態のペン先没入状態を示す縦断面図である。
【図６】図５のペン先突出状態を示す縦断面図である。
【図７】図１、図３、及び図５の出没機構を示す分解図である。
【図８】熱変色性インキの変色挙動を示す説明図である。
【発明を実施するための形態】
【００２０】
＜第１の実施の形態＞
本発明の第１の実施の形態を図１、図２、及び図７に示す。
本実施の形態の熱変色性筆記具１は、軸筒２と、該軸筒２内に収容される筆記体５と、該筆記体５のペン先５１を軸筒２の前端孔３１より出没自在にさせる出没機構とを備える。
【００２１】
・軸筒
前記軸筒２は、前軸３と、該前軸３の後端に着脱自在に連結される後軸４４とからなる。
【００２２】
・前軸
前記前軸３は、先細円筒状の弾性材料の成形体からなる。即ち、前記前軸３の全体が弾性材料により構成される。前記前軸３の前端には前端孔３１が前後方向に貫設される。前記前軸３の後端開口部外面には、オネジ部３２が一体に形成される。
【００２３】
・摩擦部
前記前軸３の全体を弾性材料から構成したことにより、前記前軸３の外面に摩擦部１０が形成される。それにより、摩擦部１０を設ける際の手間を省き、製造コストを安価に抑えることができる。また、前軸３を後軸４から分離可能にしたことにより、前軸３を後軸４から分離した場合には、前軸３を独立した摩擦具として使用でき、前軸３の前端部外面、前軸３の後端部外面、及び前軸３の側壁外面のあらゆる部分を摩擦部１０とすることができる。また、前軸３を後軸４に連結した場合には、前軸３の前端部外面及び前軸３の側壁外面を摩擦部１０として使用できる。また、前軸３の全体を弾性材料により形成したことにより、前軸３を把持した際、手指に対するフィット感が向上する。
【００２４】
前記摩擦部１０を用いて熱変色性インキの筆跡を摩擦することにより、その際に生じる摩擦熱で熱変色性インキの筆跡が熱変色可能である。
【００２５】
前記前軸３を構成する弾性材料（軟質材料）は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記前軸３を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００２６】
・後軸
前記後軸４は、円筒状の合成樹脂の成形体である。前記後軸４の後端には、後端孔４１が前後方向に貫設される。前記後軸４の後端部内面には段部４２が一体に形成される。前記後軸４の後端孔４１より前方の内面には、カム部６が一体に形成される。前記後軸４の外面には、クリップ４３が一体に突出形成される。前記後軸４の前端開口部内面には、メネジ部４４が一体に形成される。前記メネジ部４４と前軸３のオネジ部３２とが螺合可能である。
【００２７】
・筆記体
前記筆記体５は、ペン先５１と、該ペン先５１が前端開口部に圧入固着されたインキ収容管５２と、該インキ収容管５２内に充填される熱変色性インキと、該熱変色性インキの後端に充填され且つ該熱変色性インキの消費に伴い前進する追従体（例えば高粘度流体）とからなる。
【００２８】
前記ペン先５１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管５２の後端開口部に、インキ収容管５２と外部とが通気可能な通気孔を備えた尾栓を取り付けてもよい。
【００２９】
・出没機構
前記出没機構は、回転カム機構を用いたノック式出没機構であり、軸筒２内面に形成されたカム部６に係合し且つ筆記体５の後端に当接する回転部材７と、該回転部材７に係合し且つ軸筒２の後端孔４１より後方に突出するノック体８と、軸筒２内に収容され且つ筆記体５を後方に付勢する弾発体９（例えば圧縮コイルスプリング）とからなる。本実施の形態の出没機構は、ペン先突出操作及びペン先没入操作のいずれもがノック体８を前方に押圧操作するダブルノック式である。
【００３０】
＜第２の実施の形態＞
本発明の第２の実施の形態を図３、図４、及び図７に示す。
本実施の形態の熱変色性筆記具１は、軸筒２と、該軸筒２内に収容される筆記体５と、該筆記体５のペン先５１を軸筒２の前端孔３１より出没自在にさせる出没機構とを備える。
【００３１】
・軸筒
前記軸筒２は、前軸３と、該前軸３の後端に着脱自在に連結される後軸４とからなる。
【００３２】
・前軸
前記前軸３は、先細円筒状の合成樹脂の成形体からなる。前記前軸３の前端には前端孔３１が前後方向に貫設される。前記前軸３の後端開口部外面には、オネジ部３２が一体に形成される。
【００３３】
・後軸
前記後軸４は、円筒状の弾性材料の成形体である。即ち、前記後軸４の全体が弾性材料により構成される。前記後軸４の後端には、後端孔４１が前後方向に貫設される。前記後軸４の後端部内面には段部４２が一体に形成される。前記後軸４の後端孔４１より前方の内面には、カム部６が一体に形成される。前記後軸４の外面には、クリップ４３が一体に突出形成される。前記後軸４の前端開口部内面には、メネジ部４４が一体に形成される。前記メネジ部４４と前軸３のオネジ部３２とが螺合可能である。また、後軸４の全体を弾性材料により形成したことにより、後軸４を把持した際、手指に対するフィット感が向上する。
【００３４】
・摩擦部
前記後軸４の全体を弾性材料から構成したことにより、前記後軸４の外面に摩擦部１０が形成される。それにより、摩擦部１０を設ける際の手間を省き、製造コストを安価に抑えることができる。また、後軸４を前軸３から分離可能にしたことにより、後軸４を前軸３から分離した場合には、後軸４を独立した摩擦具として使用でき、後軸４の前端部外面、後軸４の後端部外面、後軸４の側壁外面、及びクリップ４３外面のあらゆる部分を摩擦部１０とすることができる。また、後軸４を前軸３に連結した場合には、後軸４の後端部外面、後軸４の側壁外面、及びクリップ４３外面を摩擦部１０として使用できる。
【００３５】
前記摩擦部１０を用いて熱変色性インキの筆跡を摩擦することにより、その際に生じる摩擦熱で前記熱変色性インキの筆跡が熱変色可能である。
【００３６】
前記後軸４を構成する弾性材料（軟質材料）は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記後軸４を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００３７】
前記後軸４の内面にはカム部６が一体に形成され、前記カム部６が弾性材料により構成される。それにより、ノック体８の前方への押圧操作時のカム作動音の発生が抑えられる。
【００３８】
・筆記体
前記筆記体５は、ペン先５１と、該ペン先５１が前端開口部に圧入固着されたインキ収容管５２と、該インキ収容管５２内に充填される熱変色性インキと、該熱変色性インキの後端に充填され且つ該熱変色性インキの消費に伴い前進する追従体（例えば高粘度流体）とからなる。
【００３９】
前記ペン先５１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管５２の後端開口部に、インキ収容管５２と外部とが通気可能な通気孔を備えた尾栓を取り付けてもよい。
【００４０】
・出没機構
前記出没機構は、回転カム機構を用いたノック式出没機構であり、軸筒２内面に形成されたカム部６に係合し且つ筆記体５の後端に当接する回転部材７と、該回転部材７に係合し且つ軸筒２の後端孔４１より後方に突出するノック体８と、軸筒２内に収容され且つ筆記体５を後方に付勢する弾発体９（例えば圧縮コイルスプリング）とからなる。本実施の形態の出没機構は、ペン先突出操作及びペン先没入操作のいずれもがノック体８を前方に押圧操作するダブルノック式である。
【００４１】
＜第３の実施の形態＞
本発明の第３の実施の形態を図５、図６、及び図７に示す。
本実施の形態の熱変色性筆記具１は、軸筒２と、該軸筒２内に収容される筆記体５と、該筆記体５のペン先５１を軸筒２の前端孔３１より出没自在にさせる出没機構とを備える。
【００４２】
・軸筒
前記軸筒２は、前軸３と、該前軸３の後端に着脱自在に連結される後軸４とからなる。
【００４３】
・前軸
前記前軸３は、先細円筒状の弾性材料の成形体からなる。即ち、前記前軸３の全体が弾性材料により構成される。前記前軸３の前端には前端孔３１が前後方向に貫設される。前記前軸３の後端開口部外面には、オネジ部３２が一体に形成される。
【００４４】
・後軸
前記後軸４は、円筒状の弾性材料の成形体である。即ち、前記後軸４の全体が弾性材料により構成される。前記後軸４の後端には、後端孔４１が前後方向に貫設される。前記後軸４の後端部内面には段部４２が一体に形成される。前記後軸４の後端孔４１より前方の内面には、カム部６が一体に形成される。前記後軸４の外面には、クリップ４３が一体に突出形成される。前記後軸４の前端開口部内面には、メネジ部４４が一体に形成される。前記メネジ部４４と前軸３のオネジ部３２とが螺合可能である。
【００４５】
・摩擦部
前記前軸３の全体を弾性材料から構成したことにより、前記前軸３の外面に摩擦部１０が形成される。それにより、摩擦部１０を設ける際の手間を省き、製造コストを安価に抑えることができる。また、前軸３を後軸４から分離可能にしたことにより、前軸３を後軸４から分離した場合には、前軸３を独立した摩擦具として使用でき、前軸３の前端部外面、前軸３の後端部外面、及び前軸３の側壁外面のあらゆる部分を摩擦部１０とすることができる。また、前軸３を後軸４に連結した場合には、前軸３の前端部外面及び前軸３の側壁外面を摩擦部１０として使用できる。
【００４６】
前記後軸４の全体を弾性材料から構成したことにより、前記後軸４の外面に摩擦部１０が形成される。それにより、摩擦部１０を設ける際の手間を省き、製造コストを安価に抑えることができる。また、後軸４を前軸３から分離可能にしたことにより、後軸４を前軸３から分離した場合には、後軸４を独立した摩擦具として使用でき、後軸４の前端部外面、後軸４の後端部外面、後軸４の側壁外面、及びクリップ４３の外面のあらゆる部分を摩擦部１０とすることができる。また、後軸４を前軸３に連結した場合には、後軸４の後端部外面、後軸４の側壁外面、及びクリップ４３の外面を摩擦部１０として使用できる。
【００４７】
前記摩擦部１０を用いて熱変色性インキの筆跡を摩擦することにより、その際に生じる摩擦熱で前記熱変色性インキの筆跡が熱変色可能である。
【００４８】
前記後軸４の内面にはカム部６が一体に形成され、前記カム部６が弾性材料により構成される。それにより、ノック体８の前方への押圧操作時のカム作動音の発生が抑えられる。
【００４９】
また、前軸３の全体及び後軸４の全体（即ち軸筒２の全体）を弾性材料により形成したことにより、軸筒２を把持した際、手指に対するフィット感が向上する。
【００５０】
前記前軸３及び後軸４を構成する弾性材料（軟質材料）は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記前軸３及び後軸４を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００５１】
・筆記体
前記筆記体５は、ペン先５１と、該ペン先５１が前端開口部に圧入固着されたインキ収容管５２と、該インキ収容管５２内に充填される熱変色性インキと、該熱変色性インキの後端に充填され且つ該熱変色性インキの消費に伴い前進する追従体（例えば高粘度流体）とからなる。
【００５２】
前記ペン先５１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管５２の後端開口部に、インキ収容管５２と外部とが通気可能な通気孔を備えた尾栓を取り付けてもよい。
【００５３】
・出没機構
前記出没機構は、回転カム機構を用いたノック式出没機構であり、軸筒２内面に形成されたカム部６に係合し且つ筆記体５の後端に当接する回転部材７と、該回転部材７に係合し且つ軸筒２の後端孔４１より後方に突出するノック体８と、軸筒２内に収容され且つ筆記体５を後方に付勢する弾発体９（例えば圧縮コイルスプリング）とからなる。本実施の形態の出没機構は、ペン先突出操作及びペン先没入操作のいずれもがノック体８を前方に押圧操作するダブルノック式である。
【００５４】
＜熱変色性インキ＞
前記第１乃至第３の実施の形態において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００５５】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００５６】
前記第１乃至第３の実施の形態では、図８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。図８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００５７】
前記第１乃至第３の実施の形態では、前記熱変色性インキの摩擦部１０の摩擦熱による変色温度は、２５℃〜９５℃（好ましくは３６℃〜９５℃）に設定される。即ち、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部１０による摩擦熱で容易に変色することができる。
【００５８】
＜出没機構＞
前記第１乃至第３の実施の形態において、前記出没機構は、回転カム機構を用いたノック式出没機構であり、軸筒２内面に形成されたカム部６に係合し且つ筆記体５の後端に当接する回転部材７と、該回転部材７に係合し且つ軸筒２の後端孔４１より後方に突出するノック体８と、軸筒２内に収容され且つ筆記体５を後方に付勢する弾発体９（例えば圧縮コイルスプリング）とからなる。前記第１乃至第３の実施の形態の出没機構は、ペン先突出操作及びペン先没入操作のいずれもがノック体８を前方に押圧操作するダブルノック式である。
【００５９】
前記第１乃至第３の実施の形態において、図７の（ａ）に示すように、ノック体８の前端には、回転部材７の突条７１の後端と係合するカム歯８１を備える。ノック体８の前端部外面には、カム部６のカム溝６２内を前後方向に摺動可能なガイド突条８２を備え、それにより、カム部６に対するノック体８の回転が阻止される。図７（ｂ）に示すように、回転部材７の外面には、長手方向に延びる４本の突条７１を備える。前記突条７１が、カム部６のカム歯６１及びカム溝６２に係合される。図７（ｃ）に示すように、カム部６は、前方に突出する鋸歯状の複数のカム歯６１と、該カム歯６１間に形成されるカム溝６２とを備える。
【００６０】
・ペン先の出没
前記第１乃至第３の実施の形態において、ペン先没入状態からノック体８を弾発体９による後方付勢に抗して前方に押圧操作すると、ノック体８の前端が回転部材７を前方に押圧し、前記回転部材７の突条７１がカム溝６２に沿って前方に移動する。前記回転部材７が前方に移動することに伴って、前記回転部材７が筆記体５の後端を前方に押圧し、ペン先５１が前端孔３１より外部に突出される。このとき、前記ノック体８のカム歯８１と前記回転部材７の突条７１との当接によって回転部材７がカム部６に対して一定角度だけ回転する。それにより、前記回転部材７の突条７１がカム部６のカム歯６１に係合され、ペン先突出状態が維持される。
【００６１】
前記第１乃至第３の実施の形態において、ペン先突出状態からノック体８を前方に押圧操作すると、ノック体８の前端が回転部材７を前方に押圧し、前記ノック体８のカム歯８１と前記回転部材７の突条７１との当接によって回転部材７がカム部６に対して一定角度だけ回転する。それによって、前記突条７１とカム部６のカム歯６１との係合状態が解除され、弾発体９による後方付勢により、前記突条７１がカム部６のカム溝６２に沿って後方に移動する。前記回転部材７が後方に移動することに伴って、筆記体５が後方に移動し、ペン先没入状態となる。前記ガイド突条８２はカム部６の後方の段部４２に係止し、ペン先没入状態が維持される。
【符号の説明】
【００６２】
１  熱変色性筆記具
２  軸筒
３  前軸
３１  前端孔
３２  オネジ部
４  後軸
４１  後端孔
４２  段部
４３  クリップ
４４  メネジ部
５  筆記体
５１  ペン先
５２  インキ収容管
６  カム部
６１  カム歯
６２  カム溝
７  回転部材
７１  突条
８  ノック体
８１  カム歯
８２  ガイド突条
９  弾発体
１０  摩擦部
【図１】
0005551463.tif 000002
【図２】
0005551463.tif 000003
【図３】
0005551463.tif 000004
【図４】
0005551463.tif 000005
【図５】
0005551463.tif 000006
【図６】
0005551463.tif 000007
【図７】
0005551463.tif 000008
【図８】
0005551463.tif 000009